(57)【要約】【課題】記憶媒体装着装置への挿脱時にハードディスクドライブカートリッジの落下を防止する。【解決手段】所定サイズのハードディスクドライブをカートリッジ筐体１１内に収納したハードディスクドライブカートリッジ１０をセット筐体５１に形成した挿脱口５１ａ１から着脱する記憶媒体装着装置５０であって、セット筐体５１に形成した挿脱口５１ａ１の前方部位に開閉自在に取り付けられ、且つ、セット筐体５１の外側に向かって全開時に略水平状態に保持されて開蓋されるドア８１と、ドア８１の裏面８１ｂ側の表面に突出入可能に取り付けた係止用レバー８２とを備え、ハードディスクドライブカートリッジ１０のセット筐体５１への挿脱時に、カートリッジ筐体１１の底面に形成された係止孔１３ｅ２を係止用レバー８２で一時的に係止させることを特徴とする記憶媒体装着装置５０を提供する。【選択図】図１３
2009020936.tif 000002
【特許請求の範囲】
【請求項１】
所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体に形成した挿脱口から着脱する記憶媒体装着装置であって、
前記セット筐体に形成した前記挿脱口の前方部位に開閉自在に取り付けられ、且つ、前記セット筐体の外側に向かって全開時に略水平状態に保持されて開蓋されるドアと、
前記ドアの裏面側表面に突出入可能に取り付けた係止用レバーとを備え、
前記ハードディスクドライブカートリッジ又は前記ハードディスクドライブカートリッジ装着用アダプタの前記セット筐体への挿脱時に、前記カートリッジ筐体の底面又は前記アダプタ筐体の底面に形成された係止孔を前記係止用レバーで一時的に係止させる構成としたことを特徴とする記憶媒体装着装置。
【請求項２】
所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体に形成した挿脱口から着脱する記憶媒体装着装置であって、
前記ハードディスクドライブカートリッジ又は前記ハードディスクドライブカートリッジ装着用アダプタを前記セット筐体内で挿脱方向にローディングするローディング機構と、
前記セット筐体に形成した前記挿脱口の前方部位に左右一対の軸を介して開閉自在に取り付けられ、且つ、前記左右一対の軸のうち一方の軸の近傍にカム溝を有するカムアームを形成したドアと、
前記ドアの一方の軸側で前記セット筐体の側面に軸支され、且つ、前記ローディング機構と連動して回動する第１ドアレバーと、
前記第１ドアレバーと同軸的に軸支され、且つ、前記第１ドアレバーと一体的に回動すると共に、前記カムアームのカム溝に嵌合するボスを形成した第２ドアレバーと、
前記第１ドアレバーに一端を掛止され、且つ、前記第２ドアレバーに他端を掛止されて、前記ドアを閉蓋方向に付勢するバネ部材とを備えたことを特徴とする記憶媒体装着装置。
【請求項３】
所定サイズのハードディスクドライブをカートリッジ筐体内に収納したハードディスクドライブカートリッジをセット筐体に形成した挿脱口から着脱する記憶媒体装着装置において、
前記ハードディスクドライブカートリッジを前記セット筐体内で挿脱方向にローディングするローディング機構と、
前記セット筐体内で前記ローディング機構と連動して回動する少なくとも一つ以上の導電性レバーとを備え、
前記セット筐体内に前記ハードディスクドライブカートリッジを装着した際に、前記少なくとも一つ以上の導電性レバーを前記カートリッジ筐体内に収納した前記ハードディスクドライブの側面の外側に取り付けた少なくとも一つ以上の導電性板バネに当接させる構成としたことを特徴とすることを特徴とする記憶媒体装着装置。
【発明の詳細な説明】
【技術分野】
【０００１】
本発明は、所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体内に着脱できる記憶媒体装着装置に関するものである。
【背景技術】
【０００２】
一般的に、円盤状のハードディスク（ＨＤ：Ｈａｒｄ  Ｄｉｓｃ）は、光ディスクや磁気テープなどよりも記録容量が大きいために映像信号とか音声信号を長時間に亘って記録再生ができ、また、ランダムアクセスが可能なために記録再生箇所の頭出しが簡単にできるなどの優れた特徴を有している。
【０００３】
また、最近、大容量の情報を記録再生するハードディスクドライブ（ＨＤＤ：Ｈａｒｄ  Ｄｉｓｃ  Ｄｒｉｖｅ）を内蔵した状態で可搬性を有するハードディスクドライブカートリッジ（以下、ＨＤＤカートリッジと記す）が注目されており、ＡＶ（Ａｕｄｉｏ  Ｖｉｄｅｏ）機器からＰＣ（Ｐｅｒｓｏｎａｌ  Ｃｏｍｐｕｔｅｒ）までに亘る記憶媒体装着装置に適応できるように、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）コンソーシアムにおいて規格化（標準化）の検討が行われている。
【０００４】
この際、ｉＶＤＲコンソーシアムでは、３．５インチ型や、２．５インチ型や、１．８インチ型など各種のハードディスク（ＨＤ）をそれぞれ収納した外形寸法が異なる複数種のハードディスクドライブ（ＨＤＤ）に対して、同一の記憶媒体装着装置内でコネクタ接続に対して互換性を持って着脱できるように規格化が検討されている。
【０００５】
具体的には、所定サイズとなる３．５インチ型ＨＤＤをカートリッジ筐体内に収納した３．５インチ型ＨＤＤカートリッジと、３．５インチ型ＨＤＤカートリッジのカートリッジ筐体と外形寸法が略同じに形成されたアダプタ筐体内に２．５インチ型ＨＤＤ又は１．８インチ型ＨＤＤを選択的に収納した２．５インチ型／１．８インチ型ハードディスクドライブ装着用アダプタとを検討することで、両者が同一の記憶媒体装着装置内でコネクタ接続に対して互換性を持って着脱できるように規格化が検討されている。
【０００６】
一方、ｉＶＤＲをスムーズに着脱可能にした記憶媒体装着装置、及び電気機器がある（例えば、特許文献１参照）。
【０００７】
また、本体装置に着脱可能に使用される長さの異なるリムーバブルＨＤＤを受容することができるローディング装置もある（例えば、特許文献２参照）。
【０００８】
【特許文献１】特開２００７−８０４３３号公報
【特許文献２】特開２００５−２８５２０６号公報。
【０００９】
図１９は従来例１の記憶媒体装着装置、及び電気機器を示した斜視図である。
【００１０】
図１９に示した従来例１の記憶媒体装着装置、及び電気機器は、上記した特許文献１（特開２００７−８０４３３号公報）に開示されているものであり、ここでは特許文献１を参照して簡略に説明する。
【００１１】
まず、図１９に示した如く、従来例１の電気機器の一例である録画再生装置２００では、筐体２０１に装着ユニット２１０（記憶媒体装着装置に該当）が内蔵されている。また、装着ユニット２１０には、持ち運び可能な記憶媒体であるｉＶＤＲ２２０がコネクタ接続により着脱可能に装着されるようになっており、このｉＶＤＲ２２０は幅方向に比べて厚みが薄いカセット形状のケース２２１の内部にハードディスク装置２３０が収納されている。
【００１２】
また、筐体２０１のフロントパネル２０１ａには、ｉＶＤＲ２２０を装着する開口部２０２ａを形成した枠部２０２が設けられており、この開口部２０２ａは通常の状態では、装着ユニット２１０に設けられたフラップ２１１（扉体に相当）により閉鎖されており、ｉＶＤＲ２２０を装着する空間を保護している。そして、ｉＶＤＲ２２０が装着ユニット２１０内に装着された時に、ｉＶＤＲ２２０へアクセスしてデータの読み出しと書き込みの両方を行うようになっている。
【００１３】
次に、上記した特許文献２（特開２００５−２８５２０６号公報）に開示されている従来例２のローディング装置では、ここでの図示を省略するものの、長さの異なる複数のリムーバブル・ハードディスクを本体装置内に設けたローディング機構により着脱する際に、長さの異なる複数のリムーバブル・ハードディスクを受容するソケット機構が本体装置内に設けられている。
【発明の開示】
【発明が解決しようとする課題】
【００１４】
ところで、上記した従来例１では、録画再生装置２００の筐体２０１内に設けられた装着ユニット（記憶媒体装着装置）２１０に設けられたフラップ２１１を開けて、筐体２０１の開口部２０２ａからｉＶＤＲ２２０を挿脱する場合に、ｉＶＤＲ２２０のケース２２１内に重量のあるハードディスク装置２３０が収納されているので、ｉＶＤＲ２２０が重くなるためにユーザーはｉＶＤＲ２２０を筐体２０１の開口部２０２ａから落下させてしまう場合があり、これによりｉＶＤＲ２２０が破損してしまうことがある。
【００１５】
また、装着ユニット（記憶媒体装着装置）２１０に設けられたフラップ２１１を開閉させるフラップ開閉機構について具体的に開示されていない。
【００１６】
また、従来例１では、装着ユニット（記憶媒体装着装置）２１０内にｉＶＤＲ２２０を装着した際に、装着ユニット２１０とｉＶＤＲ２２０との間で接地（アース）する技術的思想については何らの開示もなく示唆すらされていないので、使用時に不具合な現象が起こる場合もあり得る。更に、ｉＶＤＲ２２０で発生した熱を装着ユニット（記憶媒体装着装置）２１０の外部に放出する技術的思想については何らの開示もなく示唆すらされていない。
【００１７】
また            、上記した従来例２のローディング装置では、長さの異なる複数のリムーバブル・ハードディスクを受容するソケット機構が本体装置内に設けられているものの、前述したように、ｉＶＤＲコンソーシアムでは、所定サイズとなる３．５インチ型ＨＤＤをカートリッジ筐体内に収納した３．５インチ型ＨＤＤカートリッジと、３．５インチ型ＨＤＤカートリッジのカートリッジ筐体と外形寸法が略同じに形成されたアダプタ筐体内に２．５インチ型ＨＤＤ又は１．８インチ型ＨＤＤを選択的に収納した２．５インチ型／１．８インチ型ハードディスクドライブ装着用アダプタとを同一の記憶媒体装着装置内でコネクタ接続に対して互換性を持って着脱できるように規格化が検討されているので、将来、長さの異なる複数のリムーバブル・ハードディスクを受容する必要がなくなるので、従来例２のローディング装置に対して簡素化する必要がある。
【００１８】
そこで、所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体内に着脱するにあたって、重量のあるハードディスクドライブカートリッジ、又は、重量のあるハードディスクドライブカートリッジ装着用アダプタがセット筐体に形成した挿脱口から落下するのを防止できる記憶媒体装着装置が望まれている。
【００１９】
また、ハードディスクドライブカートリッジ及びハードディスクドライブカートリッジ装着用アダプのいずれか一方をセット筐体内に着脱する際に、セット筐体の前方に取り付けたドアをローディング動作に伴って確実且つ安全に開閉できるドア開閉機構が望まれている。
【００２０】
更に、所定サイズのハードディスクドライブを収納したハードディスクドライブカートリッジをセット筐体内に装着したときに、ハードディスクドライブとセット筐体との間で良好に接地でき、且つ、外部からの衝撃も緩衝できると共に、ハードディスクドライブ内で発生した熱をセット筐体の外部に良好に放熱できる記憶媒体装着装置も望まれている。
【課題を解決するための手段】
【００２１】
本発明は上記課題に鑑みてなされたものであり、第１の発明は、所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体に形成した挿脱口から着脱する記憶媒体装着装置であって、
前記セット筐体に形成した前記挿脱口の前方部位に開閉自在に取り付けられ、且つ、前記セット筐体の外側に向かって全開時に略水平状態に保持されて開蓋されるドアと、
前記ドアの裏面側表面に突出入可能に取り付けた係止用レバーとを備え、
前記ハードディスクドライブカートリッジ又は前記ハードディスクドライブカートリッジ装着用アダプタの前記セット筐体への挿脱時に、前記カートリッジ筐体の底面又は前記アダプタ筐体の底面に形成された係止孔を前記係止用レバーで一時的に係止させる構成としたことを特徴とする記憶媒体装着装置である。
【００２２】
また、第２の発明は、所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体に形成した挿脱口から着脱する記憶媒体装着装置であって、
前記ハードディスクドライブカートリッジ又は前記ハードディスクドライブカートリッジ装着用アダプタを前記セット筐体内で挿脱方向にローディングするローディング機構と、
前記セット筐体に形成した前記挿脱口の前方部位に左右一対の軸を介して開閉自在に取り付けられ、且つ、前記左右一対の軸のうち一方の軸の近傍にカム溝を有するカムアームを形成したドアと、
前記ドアの一方の軸側で前記セット筐体の側面に軸支され、且つ、前記ローディング機構と連動して回動する第１ドアレバーと、
前記第１ドアレバーと同軸的に軸支され、且つ、前記第１ドアレバーと一体的に回動すると共に、前記カムアームのカム溝に嵌合するボスを形成した第２ドアレバーと、
前記第１ドアレバーに一端を掛止され、且つ、前記第２ドアレバーに他端を掛止されて、前記ドアを閉蓋方向に付勢するバネ部材とを備えたことを特徴とする記憶媒体装着装置である。
【００２３】
更に、第３の発明は、所定サイズのハードディスクドライブをカートリッジ筐体内に収納したハードディスクドライブカートリッジをセット筐体に形成した挿脱口から着脱する記憶媒体装着装置において、
前記ハードディスクドライブカートリッジを前記セット筐体内で挿脱方向にローディングするローディング機構と、
前記セット筐体内で前記ローディング機構と連動して回動する少なくとも一つ以上の導電性レバーとを備え、
前記セット筐体内に前記ハードディスクドライブカートリッジを装着した際に、前記少なくとも一つ以上の導電性レバーを前記カートリッジ筐体内に収納した前記ハードディスクドライブの側面の外側に取り付けた少なくとも一つ以上の導電性板バネに当接させる構成としたことを特徴とすることを特徴とする記憶媒体装着装置である。
【発明の効果】
【００２４】
請求項１記載の記憶媒体装着装置によると、所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体に形成した挿脱口から着脱する際に、セット筐体に形成した挿脱口の前方部位に開閉自在に取り付けたドアを全開時にセット筐体の外側に向かって略水平状態に保持されて開蓋して、カートリッジ筐体の底面又はアダプタ筐体の底面に形成された係止孔をドアの裏面側表面に突出入可能に取り付けた係止用レバーで一時的に係止させているので、重量のあるハードディスクドライブカートリッジ又は重量のあるハードディスクドライブカートリッジ装着用アダプタをセット筺体の挿脱口から落下するのを防止できるので、ハードディスクドライブカートリッジ又はハードディスクドライブカートリッジ装着用アダプタの破損を防止できる。
【００２５】
また、請求項２記載の記憶媒体装着装置によると、所定サイズのハードディスクドライブをカートリッジ筐体内に収納したハードディスクドライブカートリッジ、及び、前記したカートリッジ筐体と外形寸法が略同じに形成されたアダプタ筐体内に所定サイズのハードディスクドライブよりも小型のハードディスクドライブを収納したハードディスクドライブカートリッジ装着用アダプタの少なくとも一方をセット筐体に形成した挿脱口から着脱する際に、セット筐体に形成した挿脱口の前方部位に開閉自在に取り付けたドアを、ローディング機構と連動して回動する第１ドアレバーと、この第１ドアレバーと同軸的に軸支されて第１ドアレバーと一体的に回動すると共にドアと係合する第２ドアレバーとにより開閉するように構成し、且つ、第１ドアレバーと第２ドアレバーとの間にドアを閉蓋方向に付勢するバネ部材を掛止させているために、ドアを閉めたときにバネ部材の緩衝により、ドアに誤って手をはさんでも怪我をしないと共に、ドア開閉機構が破損しないですむ。
【００２６】
更に、請求項３記載の記憶媒体装着装置によると、所定サイズのハードディスクドライブをカートリッジ筐体内に収納したハードディスクドライブカートリッジをセット筐体内に装着した際に、セット筐体内でローディング機構と連動して回動する少なくとも一つ以上の導電性レバーをカートリッジ筐体内に収納したハードディスクドライブの側面の外側に取り付けた少なくとも一つ以上の導電性板バネに当接させているので、導電性板バネと導電性レバーとを介してハードディスクドライブと記憶媒体装着装置との間で良好に接地でき、且つ、導電性板バネのバネ力により一定の荷重でハードディスクカートリッジを記憶媒体装着装置内で押さえることができ、所定サイズのハードディスクの固有振動数を外して制振しながら固定できると共に、ハードディスクドライブで生じた熱を導電性板バネと導電性レバーとを介して記憶媒体装着装置の外部に短時間で効率良く放熱できる。
【発明を実施するための最良の形態】
【００２７】
以下に本発明に係る記憶媒体装着装置の一実施例について図１〜図１８を参照して、＜ハードディスクドライブカートリッジ＞，＜ハードディスクドライブ装着用アダプタ＞，＜記憶媒体装着装置＞の順に詳細に説明する。
【実施例】
【００２８】
本発明に係る記憶媒体装着装置を説明する前に、この記憶媒体装着装置のセット筐体内に着脱されるハードディスクドライブカートリッジ及びハードディスクドライブカートリッジ装着用アダプタについて、図１〜図５を用いて先に説明する。
【００２９】
＜ハードディスクドライブカートリッジ＞
図１は本発明に係る記憶媒体装着装置及びこの記憶媒体装着装置のセット筐体内に着脱されるハードディスクドライブカートリッジを示した斜視図、
図２は図１に示したハードディスクドライブカートリッジを裏面側から見た斜視図、
図３（ａ），（ｂ）は図１及び図２に示したハードディスクドライブカートリッジ内に収納される３．５インチ型ハードディスクドライブを示した斜視図、
図４は３．５インチ型ハードディスクドライブを収納したハードディスクドライブカートリッジを一部分解して示した一部分解斜視図である。
【００３０】
図１に示した如く、本発明に係る記憶媒体装着装置５０では、この装置の外装を形成するセット筐体５１が箱状に形成されており、且つ、セット筐体５１の前面５１ａに挿脱口５１ａ１が長方形状に開口されていると共に、セット筐体５１の前面５１ａに取り付けたフロントパネル５５にも挿脱口５５ａがセット筐体５１の挿脱口５１ａ１と対向してこのセット筐体５１の挿脱口５１ａ１よりも一回り大きく長方形状に開口されている。
【００３１】
また、セット筐体５１の前面５１ａに取り付けたフロントパネル５５の挿脱口５５ａの前方部位に後述するドア８１が開閉自在に取り付けられており、このドア８１は後述のローディング機構部６０（図７，図９）と連動して全開時にセット筐体５１の外側に向かって略水平状態を保持されて開蓋されるようになっている。
【００３２】
尚、セット筐体５１の前面５１ａに形成した挿脱口５１ａ１の前方部位にドア８１を直接取り付ける構成でも良いものである。
【００３３】
そして、セット筐体５１の前面５１ａに取り付けたフロントパネル５５の挿脱口５５ａ１を経てセット筐体５１の前面５１ａに開口した挿脱口５１ａ１から３．５インチ型ハードディスクドライブを収納したハードディスクドライブカートリッジ（以下、３．５インチ型ＨＤＤカートリッジと記す）１０と、後述の図５で説明するように２．５インチ型ハードディスクドライブ又は１．８インチ型ハードディスクドライブを選択的に収納したハードディスクドライブ装着用アダプタ（以下、２．５インチ型／１．８インチ型ＨＤ装着用アダプタと記す）３０とが、セット筐体５１内でコネクタ接続に対して互換性を持って選択的に着脱自在になっている。
【００３４】
ここで、本発明に係る記憶媒体装着装置５０のセット筐体５１内に着脱される３．５インチ型ＨＤＤカートリッジ１０は、外形形状が略直方体形状であり、且つ、所定サイズである最大サイズの３．５インチ型に構成されており、樹脂材を用いてカートリッジ筐体１１が奥行き寸法Ｄ，幅寸法Ｗ，高さ寸法Ｈに形成されている。この際、上記したカートリッジ筐体１１の奥行き寸法Ｄ，幅寸法Ｗ，高さ寸法Ｈは、先に述べたｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ）コンソーシアムにおいて今後規格化された場合に、例えば、Ｄ＝１８５ｍｍ，Ｗ＝１１６ｍｍ，Ｈ＝３６ｍｍ程度に設定されることが見込まれる。
【００３５】
また、３．５インチ型ＨＤＤカートリッジ１０のカートリッジ筐体１１は、上ハーフ１２と下ハーフ１３とに２分割されており、且つ、上ハーフ１２と下ハーフ１３との間に３．５インチ型ハードディスクドライブ（以下、３．５インチ型ＨＤＤと記す）２０（図３）が収納された状態で両ハーフ１２，１３同士を蓋合わせして、図２及び図４に示したように複数のネジ１４Ａ，１４Ｂにより一体的に合体されている。
【００３６】
より具体的に説明すると、図３（ａ）に示した如く、上記した３．５インチ型ＨＤＤ２０は、アルミダイキャス材を用いて箱状に形成した下ケース２１内に不図示のスピンドルモータに回転自在に取り付けられた３．５インチ型ハードディスク（以下、３．５インチ型ＨＤと記す）２２と、この３．５インチ型ＨＤ２２の径方向に移動自在な磁気ヘッド２３とが取り付けられており、且つ、下ケース２１の上方に板金部材を用いて下ケース２１よりも一回り大きく箱状に形成した上ケース２４をかぶせてこの上ケース２４を複数のネジ２５を用いて下ケース２１に固定している。
【００３７】
この際、上ケース２４のうちで長手方向に対応して互いに対向する左右の側面２４ｃ，２４ｄの外側に導電性板バネ２６がそれぞれ間隔を離して２個づつ弾性変位可能に取り付けられており、合計で４個の導電性板バネ２６は後述するように記憶媒体装着装置５０（図１）に対して接地（アース）する機能と、外部からの衝撃に対して緩衝する機能と、３．５インチ型ＨＤＤ２０の内部で発生した熱を外部に放熱する機能とを備えている。
【００３８】
尚、この実施例では、上ケース２４の左右の側面２４ｃ，２４ｄの外側に、この上ケース２４と別体で形成した合計４個の導電性板バネ２６が取り付けられているものの、導電性板バネ２６の数量はカートリッジ筐体１１の側面の外側に少なくとも一つ以上も設ければ良いものであり、更に、導電性を有して弾性変位可能なバネ材を用いて上ケース２４を形成した上でこの上ケース２４と一体に側面の外側に少なくとも一つ以上の導電性板バネを形成することでも良い。
【００３９】
更に、図３（ａ），（ｂ）に示したように、３．５インチ型ＨＤＤ２０の外周縁のうちで外側４隅には第１緩衝吸収材２７Ａ〜２７Ｄがそれぞれ嵌め込まれ、且つ、左右の側面の外側中央部位に第２緩衝吸収材２８Ａ，２８Ｂが必要に応じてそれぞれ嵌め込まれている。
【００４０】
そして、図４に示したように、第１緩衝吸収材２７Ａ〜２７Ｄ及び第２緩衝吸収材２８Ａ，２８Ｂと共に３．５インチ型ＨＤＤ２０をカートリッジ筐体１１の上ハーフ１２内に収納し、且つ、上ハーフ１２内のうちで記憶媒体装着装置５０（図１）に対して挿入する挿入方向前面１２ａ側にコネクタ１５を左右合計２個のゴムブッシュング１６を介して２個のネジ１７で上下左右方向に対して若干の位置ズレを吸収可能に取り付けて、このコネクタ１５と３．５インチ型ＨＤＤ２０との間をフレキシブル配線ワイヤ１８で接続した後に、カートリッジ筐体１１の下ハーフ１３を前後左右合計４個のネジ１４Ａ，１４Ｂを用いて上ハーフ１２に取り付けている。
【００４１】
この際、第１緩衝吸収材２７Ａ〜２７Ｄ及び第２緩衝吸収材２８Ａ，２８Ｂの配置は、３．５インチ型ＨＤＤ２０の６面全体に配置することが望ましいが３．５インチ型ＨＤＤ２０の強度や放熱や第１緩衝吸収材２７Ａ〜２７Ｄ及び第２緩衝吸収材２８Ａ，２８Ｂのコストを考慮して第１緩衝吸収材２７Ａ〜２７Ｄを外側４隅に４個配置し、且つ、第２緩衝吸収材２８Ａ，２８Ｂを左右の側面の外側中央部位に２個配置した。また、第１緩衝吸収材２７Ａ〜２７Ｄ及び第２緩衝吸収材２８Ａ，２８Ｂに対して部品種類を増やさないために外側４隅に配置した４個と、左右の側面の外側中央部位に配置した２個はそれぞれ同じ形状の部品とした。
【００４２】
また、３．５インチ型ＨＤＤ２０は、携帯性、可搬性を考慮して構成されていないため、これを携帯用として使用するためには、第１緩衝吸収材２７Ａ〜２７Ｄ及び第２緩衝吸収材２８Ａ，２８Ｂにより外部振動を遮断し、３．５インチ型ＨＤ２２を回転駆動する不図示のスピンドルモータによる自励振動を抑え、小さい隙間でこれを実現することが必要になる。尚、第１緩衝吸収材２７Ａ〜２７Ｄ及び第２緩衝吸収材２８Ａ，２８Ｂとしては、減衰特性が良く、変形の少ない素材でなければならないので、今回は、ゲル素材のものと、ブチルゴムを用いて適切な位置に配置した。
【００４３】
上記した自励振動は、３．５インチ型ＨＤ２２の半径方向に大きく作用するので、この方向の抑制を強くするために、側面との接触面積を大きくして衝撃吸収の特性をより大きくするようにしている。３．５インチ型ＨＤ２２の回転に起因する振動は、３．５インチ型ＨＤ２２の中心から離れるほど大きく作用するので、４隅で同様に振動を制振するために３．５インチ型ＨＤ２２から近い位置に配置した第１緩衝吸収材２７Ａ，２７Ｂよりも３．５インチ型ＨＤ２２から遠い位置に配置した第１緩衝吸収材２７Ｃ，２７Ｄの方の硬度を高くして制振効果を高めている。
【００４４】
更に、外部振動と自励振動から３．５インチ型ＨＤ２２を保護する目的で、３．５インチ型ＨＤＤ２０の外側４隅に配置した第１緩衝吸収材２７Ａ〜２７Ｄは、ゲル素材を用いて３．５インチ型ＨＤＤ２０の側面との接触面積を大きくしていると共に、３．５インチ型ＨＤＤ２０の上面と下面は外部振動を遮断する目的のため接触面積を小さくしてバネ定数を小さくしている。
【００４５】
一方、３．５インチ型ＨＤＤ２０の左右の側面の外側中央部位に配置した第２緩衝吸収材２８Ａ，２８Ｂは、ブチル素材を用いて、上ケース２４による板金共振を抑えている。
【００４６】
ここで、再び図１及び図２に戻り、３．５インチ型ＨＤＤカートリッジ１０は、カートリッジ筐体１１を構成する上ハーフ１２及び下ハーフ１３の各挿入方向前面１２ａ，１３ａに、記憶媒体装着装置５０に対してコネクタ接続するためのコネクタ１５を露出させる各開口部１２ａ１，１３ａ１が形成されている。
【００４７】
そして、カートリッジ筐体１１を構成する上ハーフ１２及び下ハーフ１３の各挿入方向前面１２ａ，１３ａを先頭にし、且つ、下ハーフ１３の後面１３ｂを上ハーフ１２の後面１２ｂで覆った状態でこの上ハーフ１２の後面１２ｂ側を把持しながら記憶媒体装着装置５０のセット筐体５１の前面５１ａに取り付けたフロントパネル５５の挿脱口５５ａを経てセット筐体５１の前面５１ａに開口した挿脱口５１ａ１から挿入することで、３．５インチ型ＨＤＤカートリッジ１０が記憶媒体装着装置５０に対してコネクタ接続されるようになっている。
【００４８】
また、カートリッジ筐体１１を構成する上ハーフ１２及び下ハーフ１３のうちで上ハーフ１２の右側面１２ｄと上面１２ｅとが交差する部位に面取り１２ｄｅが施されており、この面取り１２ｄｅは、３．５インチ型ＨＤＤカートリッジ１０を記憶媒体装着装置５０に対して前後、又は、上下をそれぞれ逆にして挿入した時に誤挿入防止の機能を備えている。
【００４９】
また、カートリッジ筐体１１を構成する上ハーフ１２及び下ハーフ１３のうちで下ハーフ１３の左右の側面１３ｃ，１３ｄには、記憶媒体装着装置５０への誤挿入を防止するための誤挿入防止溝１３ｃ１，１３ｄ１がカートリッジ筐体１１の上下方向に対して下ハーフ１３側に偏位し、且つ、挿入方向前面１３ａ側を開口してこの位置から後面１３ｂ側に向かって長尺に形成されていると共に、後面１３ｂ側が閉じられている。
【００５０】
従って、３．５インチ型ＨＤＤカートリッジ１０を記憶媒体装着装置５０のセット筐体５１の前面５１ａに取り付けたフロントパネル５５の挿脱口５５ａを経てセット筐体５１の前面５１ａに開口した挿脱口５１ａ１から挿入する時に、後述するように記憶媒体装着装置５０のセット筐体５１内の左右に設けた左右のガイド板５６，５７（図７，図８）に形成した複数のガイドレール５６ａ〜５６ｄ，５７ａ〜５７ｄ（図７，図８）に３．５インチ型ＨＤＤカートリッジ１０の下ハーフ１３に形成した誤挿入防止溝１３ｃ１，１３ｄ１が進入可能な場合のみ正規な挿入となる一方、３．５インチ型ＨＤＤカートリッジ１０の上下を反転したり、あるいは、前後を反転した時には複数のガイドレール５６ａ〜５６ｄ，５７ａ〜５７ｄ（図７，図８）に誤挿入防止溝１３ｃ１，１３ｄ１が進入できないので誤挿入として検知できるようになっている。
【００５１】
また、カートリッジ筐体１１を構成する上ハーフ１２の左右の側面１２ｃ，１２ｄ中で挿入方向前面１２ａ側にローディング爪係合孔１２ｃ１（図２），１２ｄ１（図１）が形成されていると共に、カートリッジ筐体１１を構成する下ハーフ１３の左右の側面１３ｃ，１３ｄ中で挿入方向前面１３ａ側にもローディング爪係合孔１３ｃ２（図２），１３ｄ２（図１）が形成されており、ローディング爪係合孔１２ｃ１，１２ｄ１及びローディング爪係合孔１３ｃ２，１３ｄ２のいずれか一方の組を使用することであらゆる記憶媒体装着装置５０に対応可能になっている。
【００５２】
そして、後述するように記憶媒体装着装置５０のセット筐体５１内に設けたＸ軸スライド板７４（図７，図８）と一体に挿脱方向に移動する左右一対のローディング爪７７，７８（図７，図８）が、上ハーフ１２に形成したローディング爪係合孔１２ｃ１，１２ｄ１及び下ハーフ１３に形成したローディング爪係合孔１３ｃ２，１３ｄ２のいずれか一方の組に接離自在に係合することで、３．５インチ型ＨＤＤカートリッジ１０の挿脱中に記憶媒体装着装置５０内で３．５インチ型ＨＤＤカートリッジ１０が挿脱方向に沿ってオートローディングされるようになっている。
【００５３】
また、カートリッジ筐体１１を構成する上ハーフ１２の右側面１２ｄの下方部位にスイッチ検出溝１２ｄ２が挿入方向前面１２ａ側を開口してこの位置から後面１２ｂ側に向かって長尺に形成されていると共に、後面１２ｂｃ側が閉じられている。
【００５４】
また、カートリッジ筐体１１を構成する下ハーフ１３の挿入方向前面１３ａの左右にもスイッチ検出孔１３ａ２が間隔を離して合計２箇所に形成されている。
【００５５】
そして、３．５インチ型ＨＤＤカートリッジ１０を記憶媒体装着装置５０に挿入した時に、記憶媒体装着装置５０内に設けた不図示のスイッチを、上ハーフ１２の右側面１２ｄの下方部位に形成したスイッチ検出溝１２ｄ２又は下ハーフ１３の挿入方向前面１３ａの左右に形成したスイッチ検出孔１３ａ２に進入させて不図示のスイッチをＯＮ／ＯＦＦ制御することで、３．５インチ型ＨＤＤカートリッジ１０の挿入を記憶媒体装着装置５０内で検出することができるようになっている。
【００５６】
尚、上ハーフ１２の右側面１２ｄの下方部位に形成したスイッチ検出溝１２ｄ２の場合には、３．５インチ型ＨＤＤカートリッジ１０の挿入途中で挿入を検出することができ、一方、下ハーフ１３の挿入方向前面１３ａの左右に形成したスイッチ検出孔１３ａ２は３．５インチ型ＨＤＤカートリッジ１０の挿入完了後に挿入を検出することができる。
【００５７】
また、カートリッジ筐体１１は、上ハーフ１２の後面１２ｂに貫通して形成した放熱孔１２ｂ１（図２）と、上ハーフ１２の左右の側面１２ｃ，１２ｄに貫通して形成した放熱孔１２ｃ３（図２），１２ｄ３（図１）とにより、カートリッジ筐体１１内に収納した３．５インチ型ＨＤＤ２０で発生した熱を放熱して、３．５インチ型ＨＤＤの温度上昇を防止している。
【００５８】
尚、記憶媒体装着装置５０内では、通常、熱対策としてセット筐体５１の前面５１ａから後面（図示せず）に向かって気流が発生するように吸い込み型冷却ファン（図示せず）が取り付けられている。この気流を想定して、３．５インチ型ＨＤＤカートリッジ１０を記憶媒体装着装置５０内に挿入した時に、カートリッジ筐体１１の上ハーフ１２の後面１２ｂに形成した放熱孔１２ｂ１側から上ハーフ１２の左右の側面１２ｃ，１２ｄに形成した放熱孔１２ｃ３，１２ｄ３側に気流が通るようにしている。この気流により３．５インチ型ＨＤＤ２０（図３，図４）内に設けた不図示のＬＳＩやドライバＩＣが発生する熱をカートリッジ筐体１１と３．５インチ型ＨＤＤ２０との間に形成された流路により熱を外部に逃がすようにしている。また，３．５インチ型ＨＤＤ２０内に設けた不図示のハードディスクドライブ駆動回路近傍に対応して下ハーフ１３の底面１３ｅに形成した放熱孔１３ｅ１（図２）により、ハードディスクドライブ駆動回路への空気流供給が不足しないようにしている。
【００５９】
また、図１〜図４を併用して説明すると、カートリッジ筐体１１を構成する上ハーフ１２の左右の側面１２ｃ，１２ｄに、バネ押圧用孔１２ｃ４，１２ｄ４がそれぞれ間隔を離して２個づつ貫通して形成されており、これらのバネ押圧用孔１２ｃ４，１２ｄ４に先に図３（ａ）を用いて説明した３．５インチ型ＨＤＤ２０における上ケース２４の左右の側面２４ｃ，２４ｄの外側に間隔を離して２個づつ取り付けた導電性板バネ２６がそれぞれ臨んでいる。
【００６０】
上記した上ケース２４の左右の側面２４ｃ，２４ｄの外側に取り付けた各導電性板バネ２には、記憶媒体装着装置５０内に設けた左右一対の導電性フックレバー１０１，１０２（図８〜図１０，図１５〜図１７）が接離可能になっているがこれについては後で詳述する。
【００６１】
更に、図２及び図４に示した如く、カートリッジ筐体１１の下ハーフ１３の底面１３ｅ中で挿入方向前面１３ａ側に係止孔１３ｅ２が形成されており、この係止孔１３ｅ２は本発明の要部の一部を構成するものであり、この係止孔１３ｅ２については後で詳述する。
【００６２】
＜ハードディスクドライブ装着用アダプタ＞
図５（ａ），（ｂ）は本発明に係る記憶媒体装着装置のセット筐体内に着脱されるハードディスクドライブ装着用アダプタを説明するために示した斜視図である。
【００６３】
図５（ａ），（ｂ）に示した如く、本発明に係る記憶媒体装着装置５０のセット筐体５１内に着脱されるハードディスクドライブ装着用アダプタ（以下、２．５インチ型／１．８インチ型ＨＤＤ装着用アダプタと記す）３０では、略直方体形状に形成されたアダプタ筐体３１の外形寸法が、先に図１を用いて説明した最大サイズである３．５インチ型ＨＤＤカートリッジ１０のカートリッジ筐体１１の外形寸法（奥行き寸法Ｄ＝１８５ｍｍ，幅寸法Ｗ＝１１６ｍｍ，高さ寸法Ｈ＝３６ｍｍ）と略同じ値に設定されている。
【００６４】
そして、上記した２．５インチ型／１．８インチ型ＨＤＤ装着用アダプタ３０は、図５（ａ）に示したように、アダプタ筐体３１内に２．５インチ型ハードディスクドライブ（以下、２．５インチ型ＨＤＤと記す）４０をこのドライブ４０に取り付けたコネクタ４１が挿入方向前面側に形成した開口部を臨むように位置決めして収納するか、又は、図５（ｂ）に示したように、アダプタ筐体３１内に１．８インチ型ハードディスクドライブ（以下、１．８インチ型ＨＤＤと記す）４５をこのドライブ４５に取り付けたコネクタ４６が挿入方向前面側に形成した開口部を臨むように位置決めして収納することで、先に図１を用いて説明した記憶媒体装着装置５０内で３．５インチ型ＨＤＤカートリッジ１０に対してコネクタ接続の互換性が取れるようになっている。
【００６５】
また、２．５インチ型／１．８インチ型ＨＤＤ装着用アダプタ３０のアダプタ筐体３１は、樹脂材を用いて成形加工した上ハーフ３２と下ハーフ３３とに２分割されおり、両ハーフ３２，３３同士を蓋合わせして不図示のネジにより一体的に合体されている。
【００６６】
そして、アダプタ筐体３１を構成する上ハーフ３２及び下ハーフ３３の各挿入方向前面３２ａ，３３ａ側が記憶媒体装着装置５０（図１）内に挿入する時の先頭側になっており、且つ、上ハーフ３２の後面３２ｂ側を手で把持できるようになっている。
【００６７】
また、アダプタ筐体３１を構成する下ハーフ３３の左右の側面（３３ｃ…図示せず），３３ｄには、記憶媒体装着装置５０（図１）への誤挿入を防止するための誤挿入防止溝（３３ｃ１…図示せず），３３ｄ１と、記憶媒体装着装置５０（図１）内にオートローディングするためのローディング爪係合孔（３３ｃ２…図示せず），３３ｄ２とが３．５インチ型ＨＤＤカートリッジ１０と互換性を持って略同一位置に形成されている。
【００６８】
また、アダプタ筐体３１を構成する上ハーフ３２の左右の側面（３２ｃ…図示せず），３２ｄには、記憶媒体装着装置５０（図１）内にオートローディングするためのローディング爪係合孔（３２ｃ１…図示せず），３２ｄ１が３．５インチ型ＨＤＤカートリッジ１０と互換性を持って略同一位置に形成されている。
【００６９】
この際、２．５インチ型ＨＤＤ４０又は１．８インチ型ＨＤＤ４５は、各上下のハーフが樹脂材を用いて形成されているために、各上ハーフの左右の側面の外側には接地用の導電性板バネが取り付けられていないために、アダプタ筐体３１を構成する上ハーフ３２の左右の側面（３２ｃ…図示せず），３２ｄにバネ押圧用孔を形成する必要はない。
【００７０】
更に、アダプタ筐体３１を構成する上ハーフ３２の左右の側面（３２ｃ…図示せず），３２ｄ及び下ハーフ３３の挿入方向前面３３ａには、３．５インチ型の場合とは異なってスイッチ検出溝及びスイッチ検出孔が形成されてなく、これにより記憶媒体装着装置５０（図１）内に３．５インチ型ＨＤＤカートリッジ１０が挿入されたのか、それとも２．５インチ型／１．８インチ型ＨＤＤ装着用アダプタ３０が挿入されたかを検出することができる。
【００７１】
尚、上記したスイッチ検出溝及びスイッチ検出孔は、３．５インチ型ＨＤＤカートリッジ１０、又は、２．５インチ型／１．８インチ型ＨＤＤ装着用アダプタ３０のいずれか一方に設ければ良いものである。
【００７２】
また、アダプタ筐体３１を構成する下ハーフ３３の底面３３ｅには、２．５インチ型ＨＤＤ４０又は１．８インチ型ＨＤＤ４５を選択的に収納するための開口部３３ｅ１が形成されており、この開口部３３ｅ１は収納蓋３４により開閉自在になっている。
【００７３】
更に、アダプタ筐体３１の底面側となる上記した収納蓋３４には、アダプタ筐体３１の挿入方向側に係止孔３４ａが形成されている。この係止孔３４ａも、３．５インチ型の場合と同様に、本発明の要部の一部を構成するものであり、この係止孔３４ａについては後で詳述する。
【００７４】
＜記憶媒体装着装置＞
図６（ａ），（ｂ）は本発明に係る記憶媒体装着装置をそれぞれ上方，下方から見た外観図、
図７は本発明に係る記憶媒体装着装置内にハードディスクドライブカートリッジ又はハードディスクドライブカートリッジ装着用アダプタを挿入開始した状態の平面図、
図８は本発明に係る記憶媒体装着装置おいて、サブシャーシの近傍を分解して示した分解斜視図である。
【００７５】
図６（ａ），（ｂ）に示した如く、本発明に係る記憶媒体装着装置５０では、この装置の外装を形成するセット筐体５１が、メインシャーシ５２と、サブシャーシ５３と、トップカバー５４とで構成されており、メインシャーシ５２とトップカバー５４との間にサブシャーシ５３が取り付けられて箱状に枠組みされ、この前方側にフロントパネル５５が取り付けられていると共に、後方側にコネクタブラケット５８を介して記憶媒体装着装置５０側のコネクタ５９が取り付けられている。
【００７６】
また、セット筐体５１の前面５１ａに取り付けたフロントパネル５５の挿脱口５５ａの前方部位にドア８１が後述するローディング機構部６０（図７，図９）と連動して開閉自在に取り付けられている。
【００７７】
ここで、本発明に係わる記憶媒体装着装置の内部構成について説明する際に、以下の説明では３．５インチ型ＨＤＤカートリッジ１０又は２．５インチ型／１．８インチ型ＨＤＤ装着用アダプタ３０の挿入側を前方と呼称し、これと反対側を後方と呼称すると共に、挿入方向から見て左手側及び右手側を左側及び右側と呼称する。
【００７８】
図７及び図８に示した如く、メインシャーシ５２の前面５２ａ側には前述したようにフロントパネル５５が取り付けられ、このフロントパネル５５の挿脱口５５ａの前方部位に開閉閉自在に取り付けたドア８１が全開時に略水平状態に保持されて開蓋されており、このドア８１の上方に３．５インチ型ＨＤＤカートリッジ１０又は２．５インチ型／１．８インチ型ＨＤＤ装着用アダプタ３０が後方（矢印Ｘ２方向）に向かって挿入を開始した状態である。
【００７９】
また、メインシャーシ５２の後面５２ｂ側に前述したようにコネクタブラケット５８を介して記憶媒体装着装置５０側のコネクタ５９が取り付けられている。
【００８０】
また、メインシャーシ５２の高さ方向中間部位で左右の側板部５２ｃ，５２ｄ間に図８に示したサブシャーシ５３が取り付けられているが、図７ではサブシャーシ５３の図示を省略していると共に、図８ではメインシャーシ５２の図示を省略している。
【００８１】
また、サブシャーシ５３（図８）の上面５３ａの上方でメインシャーシ５２の左側板部５２ｃの内側に左側ガイド板５６が取り付けられ、且つ、メインシャーシ５２の右側板部５２ｄの内側に右側ガイド板５７が取り付けられており、左右のガイド板５６，５７はサブシャーシ５３（図８）を介して互いに対向している。
【００８２】
また、左右のガイド板５６，５７の各内側に複数のガイドレール５６ａ〜５６ｄ（但し、図８には図示せず），５７ａ〜５７ｄがそれぞれ間隔を離して３．５インチ型ＨＤＤカートリッジ１０又は２．５インチ型／１．８インチ型ＨＤＤ装着用アダプタ３０の挿脱方向（矢印Ｘ１，Ｘ２方向）に沿い且つそれぞれ内側に向かって突出形成されており、これら複数のガイドレール５６ａ〜５６ｄ，５７ａ〜５７ｄは先に図１，図２で示した３．５インチ型ＨＤＤカートリッジ１０に形成した誤挿入防止溝１３ｃ１，１３ｄ１又は先に図５で示した２．５インチ型／１．８インチ型ＨＤＤ装着用アダプタ３０に形成した誤挿入防止溝（３３ｃ１），３３ｄ１に嵌合することで、３．５インチ型ＨＤＤカートリッジ１０又は２．５インチ型／１．８インチ型ＨＤＤ装着用アダプタ３０を挿脱方向に案内している。
【００８３】
また、左右のガイド板５６，５７の各内側で中間部位から後方側に向かってカム溝５６ｅ，５７ｅがそれぞれ形成されており、各カム溝５６ｅ，５７ｅはガイドレール５６ｃ及び５６ｄ，５７ｃ及び５７ｄの下方に凹状の溝として形成されている。更に、左右のガイド板５６，５７の各内側に形成した各カム溝５６ｅ，５７ｅは前方から後方に向かって深い溝部５６ｅ１，５７ｅ１と、テーパ溝部５６ｅ２，５７ｅ２と、浅い溝部５６ｅ３，５７ｅ３とで形成されており、各カム溝５６ｅ，５７ｅ内に後述する左右のローディング爪７７，７８が添接可能に進入している。
【００８４】
また、サブシャーシ５３（図８）の下面５３ａ側には、３．５インチ型ＨＤＤカートリッジ１０又は２．５インチ型／１．８インチ型ＨＤＤ装着用アダプタ３０を自動的に挿脱方向にローディングすると共に、ドア８１を開閉したり、左右一対の導電性レバー１０１，１０２を回動させるためのローディング機構部６０が設けられている。
【００８５】
上記したローディング機構部６０は、図７にのみ図示したように、サブシャーシ５３（図８）の下面５３ａ側に駆動源となる不図示のギヤボックスが設けられており、このギヤボックスに取り付けられたモータ６１の駆動力がプーリ６２，ベルト６３，プーリギヤ６４，第１〜第４の二段ギヤ６５〜６８により減速されており、最終段となる第４の二段ギヤ６８の小径ギヤ部６８ａが後述するＹ軸スライド板７３に形成したラック７３ｂに噛合し、且つ、第４の二段ギヤ６８の大径ギヤ部６８ｂが後述するＸ軸スライド板７４に形成したラック７４ｃに噛合している。
【００８６】
また、図８にのみ図示すると、サブシャーシ５３の前方側で下面５３ａには複数のローラ７１がサブシャーシ５３に形成した各ローラ取り付け孔５３ｃを介して取り付けられ、且つ、これら複数のローラ７１は上面５３ａ側に僅かに突出しており、複数のローラ７１が重量のある３．５インチ型ＨＤＤカートリッジ１０の底面又は重量のある２．５インチ型／１．８インチ型ＨＤＤ装着用アダプタ３０の底面に添接することでスムーズに挿脱できるようになっている。
【００８７】
更に、図８にのみ図示すると、左右の側板５６，５７の各内側にも複数のローラ７２が左右の側板５６，５７に形成した各ローラ取り付け孔（５６ｆ），５７ｆを介して取り付けられ、且つ、これら複数のローラ７２は左右の側板５６，５７の各内側に対して僅かに突出しており、複数のローラ７２が重量のある３．５インチ型ＨＤＤカートリッジ１０の左右の側面又は重量のある２．５インチ型／１．８インチ型ＨＤＤ装着用アダプタ３０の左右の側面に添接することでスムーズに挿脱できるようになっている。
【００８８】
図７及び図８に戻り、サブシャーシ５３の下面５３ｂの略中央部位には、ローディング機構部６０の一部を構成するＹ軸スライド板７３が３．５インチ型ＨＤＤカートリッジ１０又は２．５インチ型／１．８インチ型ＨＤＤ装着用アダプタ３０の挿脱方向（矢印Ｘ１，Ｘ２方向）に対して直交して矢印Ｙ１，Ｙ２方向に移動可能に設けられていると共に、このＹ軸スライド板７３の下方に重ねてＸ軸スライド板７４が矢印Ｘ１，Ｘ２方向に移動可能に設けられている。
【００８９】
上記したＹ軸スライド板７３は、サブシャーシ５３（図８）の下面５３ｂと対向する上面にサブシャーシ５３（図８）の下面５３ｂに一体的に設けた複数のガイドピン５３ｄによって矢印Ｙ１，Ｙ２方向に案内されるＹ軸ガイド溝７３ａと、このＹ軸ガイド溝７３ａと平行な側面に前方側に向かって形成されて最終段となる第４の二段ギヤ６８の小径ギヤ部６８ａに噛合するラック７３ｂと、このラック７３ｂの左方に形成されてクローズスイッチＳＷ２（図７のみ図示）に接離するスイッチ押圧部７３ｃと、ラック７３ｂの右方に形成された突出片７３ｄとで樹脂材を用いて一体的に構成されている。
【００９０】
一方、上記したＸ軸スライド板７４は、サブシャーシ５３（図８）の下面５３ｂ及びＹ軸スライド板７３の下面と対向する上面の右方に上記したＹ軸スライド板７３の下面に突出形成したボス７３ｅ（図７のみ図示）に案内され且つ後方側から前方に向かって略逆Ｌ字状をした逆Ｌ字状カム溝７４ａと、この逆Ｌ字状カム溝７４ａよりも左側でサブシャーシ５３（図８）の下面５３ｂに一体的に設けた複数のガイドピン５３ｅによって矢印Ｘ１，Ｘ２方向に案内されるＸ軸ガイド溝７４ｂと、このＸ軸ガイド溝７４ｂより左前方側から後方側に向かって切り欠いた側面にＸ軸ガイド溝７４ｂと平行に形成されて最終段となる第４の二段ギヤ６８の大径ギヤ部６８ｂに噛合するラック７４ｃと、後方側の左右に上方に向かって突出形成された左右一対のボス７４ｄ，７４ｅと、更に、左側のボス７４ｄの近傍に形成されてオープンスイッチＳＷ１（図７のみ図示）に接離するスイッチ押圧部７４ｆとが樹脂材を用いて一体的に構成されている。
【００９１】
そして、Ｘ軸スライド板７４の後方側の左右に突出形成した一対のボス７４ｄ，７４ｅをサブシャーシ５３（図８）の左右の中間部位から後方側に向かって形成した左右一対の長孔５３ｆ，５３ｇ（図８）内に下面５３ｂ側から進入させて上面５３ａ側に突出させている。
【００９２】
そして、サブシャーシ５３（図８）に形成した左右一対の長孔５３ｆ，５３ｇ（図８）内から突出したＸ軸スライド板７４の一対のボス７４ｄ，７４ｅに、左右一対のネジリバネ７５，７６を介して左右一対のローディング爪７７，７８が回動可能に軸着されている。
【００９３】
上記した左右一対のローディング爪７７，７８は、先に図１，図２に示した３．５インチ型ＨＤＤカートリッジ１０の左右に形成したローディング爪係合孔１２ｃ１，１２ｄ１又はローディング爪係合孔１３ｃ２，１３ｄ２のいずれか一方の組に係合するものであり、更に、先に図５に示した２．５インチ型／１．８インチ型ＨＤＤ装着用アダプタ３０の左右に形成したローディング爪係合孔（３２ｃ１），３２ｄ１又はローディング爪係合孔（３３ｃ２），３３ｄ２のいずれか一方の組に係合するものである。
【００９４】
この際、左右一対のローディング爪７７，７８は、左右一対のネジリバネ７５，７６によりそれぞれ左右のガイド板５６，５７側に向かって付勢されており、且つ、Ｘ軸スライド板７４が前方（矢印Ｘ１方向）に移動している初期状態のときに、左右一対のローディング爪７７，７８は左右のガイド板５６，５７に形成したカム溝５６ｅ，５７ｅのうちで深い溝部５６ｅ１，５７ｅ１内に進入しているために、両ローディング爪７７，７８は左右一対のネジリバネ７５，７６の付勢力により左右のガイド板５６，５７側に向かって互いに開いているので、３．５インチ型ＨＤＤカートリッジ１０又は２．５インチ型／１．８インチ型ＨＤＤ装着用アダプタ３０の挿入に支障をきたさないようになっている。
【００９５】
ここで、上記のように構成した記憶媒体装着装置５０の前方から３．５インチ型ＨＤＤカートリッジ１０又は２．５インチ型／１．８インチ型ＨＤＤ装着用アダプタ３０をサブシャーシ５３（図８）上に挿入すると、カートリッジ１０又はアダプタ３０の左右先端で左右のローディング爪７７，７８の各軸部を押す動作に協働してＸ軸スライド板７４が後方（矢印Ｘ２方向）に僅かに移動するので、このＸ軸スライド板７４のスイッチ押圧部７４ｆでオープンスイッチＳＷ１（図７のみ図示）を押してモータ６１を始動させる。
【００９６】
そして、モータ６１の回転を減速させて最終段となる第４の二段ギヤ６８を回転させると、Ｘ軸スライド板７４が更に後方（矢印Ｘ２方向）に向かい、Ｘ軸スライド板７４と一体に左右のローディング爪７７，７８も後方（矢印Ｘ２方向）に向かので、左右一対のローディング爪７７，７８は左右のガイド板５６，５７に形成したカム溝５６ｅ，５７ｅのうちで深い溝部５６ｅ１，５７ｅ１内からテーパ溝部５６ｅ２，５７ｅ２を経由して浅い溝部５６ｅ３，５７ｅ３内に順次添接するために、左右一対のローディング爪７７，７８は左右一対のネジリバネ７５，７６に抗してそれぞれ内側に向かうので、３．５インチ型ＨＤＤカートリッジ１０又は２．５インチ型／１．８インチ型ＨＤＤ装着用アダプタ３０の各左右の側面に形成した各ローディング爪係合孔に係合し、Ｘ軸スライド板７４と一体に３．５インチ型ＨＤＤカートリッジ１０又は２．５インチ型／１．８インチ型ＨＤＤ装着用アダプタ３０が後方（矢印Ｘ２方向）に向かってオートローディングされ、この後、３．５インチ型ＨＤＤカートリッジ１０側又は２．５インチ型／１．８インチ型ＨＤＤ装着用アダプタ３０側と装置５０側とがコネクタ接続される。
【００９７】
更に、Ｘ軸スライド板７４が後方に向かって移動すると、このＸ軸スライド板７４の逆Ｌ字状カム溝７４ａに沿ってＹ軸スライド板７３のボス７３ｅが移動するので、Ｙ軸スライド板７３が右方（矢印Ｙ１方向）の初期位置から左方（矢印Ｙ２方向）に向かって移動すると共に、Ｙ軸スライド板７３のボス７３ｅが逆Ｌ字状カム溝７４ａの左端に至ると、Ｙ軸スライド板７３のラック７３ｂに噛合した最終段となる第４の二段ギヤ６８の小径ギヤ部６８ａによってＹ軸スライド板７３が更に左方（矢印Ｙ２方向）移動して、Ｙ軸スライド板７３のスイッチ押圧部７３ｃがクローズスイッチＳＷ２に当接することで、挿入時のローディング動作が終了する。
【００９８】
この際、最終段となる第４の二段ギヤ６８の小径ギヤ部６８ａと大径ギヤ部６８ｂは、歯数が同じで且つモジュールがｍａ，ｍｂと異なって同位相で形成されている。そして、Ｘ軸スライド板７４の逆Ｌ字状カム溝７４ａの角度θ（図７のみ図示）はｔａｎ−１θ＝ｍｂ／ｍａになっているので、小径ギヤ部６８ａとＹ軸スライド板７３のラック７３ｂ、大径ギヤ部６８ｂとＸ軸スライド板７４のラック７４ｃとがそれぞれ噛合いながら、滑らかに噛合いが切り替わっていくことができる。
【００９９】
次に、前記したローディング機構部６０によって開閉するドア８１と、ローディング機構部６０によって回動する左右一対の導電性フックレバー１０１，１０２について図９〜図１７を用いて説明する。
【０１００】
図９（ａ），（ｂ），（ｃ）は本発明に係る記憶媒体装着装置内にハードディスクドライブカートリッジ又はハードディスクドライブカートリッジ装着用アダプタを装着した状態の平面図，右側面図，イ−ロ断面図、
図１０は本発明に係る記憶媒体装着装置において、ローディング機構部によって開閉するドアと、ローディング機構部によって回動する左右一対の導電性フックレバーを示した斜視図、
図１１（ａ）〜（ｅ）は本発明に係る記憶媒体装着装置において、ドアの開閉動作を説明するための平面図、
図１２は本発明に係る記憶媒体装着装置において、ドアの開閉動作を説明するための斜視図であり、（ａ）はドアが開いた状態を示し、（ｂ）はドアが閉じた状態を示した図、
図１３（ａ）〜（ｃ）は本発明に係る記憶媒体装着装置内からハードディスクドライブカートリッジを引き抜く動作を説明するために図２中のＸ−Ｘ矢視方向に沿って断面して示した縦断面図、
図１４（ａ），（ｂ）は本発明に係る記憶媒体装着装置内にハードディスクドライブカートリッジを挿入する動作を説明するために図２中のＸ−Ｘ矢視方向に沿って断面して示した縦断面図、
図１５（ａ），（ｂ）は本発明に係る記憶媒体装着装置内でハードディスクドライブカートリッジ内に収納した３．５インチ型ハードディスクドライブに対して接地（アース）する動作を説明するために図１中のＹ−Ｙ矢視方向に沿って断面して示した縦断面図、
図１６（ａ），（ｂ）はハードディスクドライブカートリッジ内に収納した３．５インチ型ハードディスクドライブで生じた熱を記憶媒体装着装置の外部に放熱する際に、本発明に対する比較例の場合を模式的に示した図、
図１７（ａ），（ｂ）はハードディスクドライブカートリッジ内に収納した３．５インチ型ハードディスクドライブで生じた熱を記憶媒体装着装置の外部に放熱する際に、本発明の場合を模式的に示した図である。
【０１０１】
まず、図９（ａ）〜（ｃ）及び図１０に示した如く、セット筐体５１の前面５１ａに取り付けたフロントパネル５５の挿脱口５５ａの前方部位には、ドア８１が左右の軸８１ａ，８１ｂを介して開閉自在に支持されており、このドア８１は３．５インチ型ＨＤＤカートリッジ１０又は２．５インチ型／１．８インチ型ＨＤＤ装着用アダプタ３０の挿脱方向と対応して全開時にセット筐体５１の外側に向かって略水平状態に保持されて開蓋されるようになっている。
【０１０２】
上記したドア８１は、右側の軸８１ｂの近傍にカム溝８１ｃ１を有するカムアーム８１ｃが前面８１ｄと反対側の裏面８１ｅ側からこの裏面８１ｅに対して略直角に後方に向かって突出形成されており、カムアーム８１ｃのカム溝８１ｃ１内に後述する第２ドアレバー９３のボス９３ｃが係合している。
【０１０３】
また、ドア８１は、図１０に示したように、前面８１ｄが平坦に形成されていると共に、裏面８１ｅ側に凹部８１ｅ１が形成されており、且つ、この凹部８１ｅ１内の略中央部位に突出形成した軸支持部８１ｆにカートリッジ係止用テーパ状レバー８２の軸８２ａがネジリバネ８３により付勢されて回動自在に支持されている。
【０１０４】
更に、ドア８１の裏面８１ｅ上には、上記した凹部８１ｅ１を覆うためのドア後面カバー８４が一体的に取り付けられており、このドア後面カバー８４の略中央部位に穿設した矩形孔８４ａ内にカートリッジ係止用テーパ状レバー８２が突出入可能（出没可能）に臨んでいる。
【０１０５】
そして、ドア８１を全開時にセット筐体５１の外側に向かって略水平状態に保持されて開蓋して、セット筐体５１の前面５１ａに取り付けたフロントパネル５５の挿脱口５５ａを経てセット筐体５１の前面５１ａに開口した挿脱口５１ａ１から３．５インチ型ＨＤＤカートリッジ１０（図１）又は２．５インチ型／１．８インチ型ＨＤＤ装着用アダプタ３０（図５）を挿脱する際に、ドア８１の裏面８１ｅ側の表面に突出入可能に取り付けたカートリッジ係止用テーパ状レバー８２により重量のある３．５インチ型ＨＤＤカートリッジ１０又は重量のある２．５インチ型／１．８インチ型ＨＤＤ装着用アダプタ３０をドア８１の裏面８１ｅに取り付けたドア後面カバー８４上に一時的に係止させるようになっているが、これについては後で述べる。
【０１０６】
図９（ａ）〜（ｃ）及び図１０に戻り、右側ガイド板５７側で且つサブシャーシ（図８）の下面５３ｂ側に設けた不図示のギヤボック上には、扇型アーム８５が軸８６（図９のみ図示）を中心にしてネジリバネ８７によって時計方向（矢印Ｇ１方向）に付勢されながら回動可能に設けられている。
【０１０７】
上記した扇型アーム８５は、一端側にカム溝８５ａが貫通して形成され、且つ、一端側の側面８５ｂがＹ軸スライド板７３の突出片７３ｄに接離可能になっていると共に、軸８６を介した他端側にＵ字溝８５ｃとカム片８５ｄとが連接して形成されており、Ｕ字溝８５ｃ及びカム片８５ｄは右側ガイド板５７側に位置している。
【０１０８】
また、不図示のギヤボック上には、扇型アーム８５と連動して左右方向（矢印Ｙ１，Ｙ２方向）に移動するプレート８８が設けられており、このプレート８８の右端に突出形成したボス８８ａが扇型アーム８５のカム溝８５ａ内に嵌合していると共に、プレート８８の左端面８８ｂが左側ガイド板５６側に位置している。
【０１０９】
また、メインシャーシ５２の右側板部５２ｄの外側前方に平板状のレバー取り付け板８９がネジ９０を用いて取り付けられており、このレバー取り付け板８９の内面側にシャフト９１が右側ガイド板５７側に向かって横設されている。
【０１１０】
そして、レバー取り付け板８９の内面側に横設したシャフト９１には、第１ドアレバー９２の上方にレバー取り付け板８９側に向かって突出形成した孔付きボス９２ａの孔が軸着されている。
【０１１１】
上記した第１ドアレバー９２は、上方に形成した孔付きボス９２ａの下方にストッパ９２ｂとバネ掛止片９２ｃとが左右間隔を離してレバー取り付け板８９側に向かって突出形成され、更に、下端にボス９２ｄが下方に向かって突出形成されており、このボス９２ｄが先に説明した扇型アーム８５のＵ字溝８５ｃ内に嵌合している。
【０１１２】
また、レバー取り付け板８９の内面と第１ドアレバー９２との間には、第２ドアレバー９３が上方に形成した丸孔９３ａを第１ドアレバー９２の孔付きボス９２ａの外周部に嵌め込んで第１ドアレバー９２と同軸的に軸着されている。
【０１１３】
上記した第２ドアレバー９３は、上方に形成した丸孔９３ａの下方にバネ掛止片９３ｂが形成され、且つ、下方にボス９３ｃが内側に向かって横設されており、このボス９３ｃがドア８１に形成したカムアーム８１ｃのカム溝８１ｃ１内に嵌合していると共に、第２ドアレバー９３の側面９３ｄ｛図１２（ｂ）｝が後述するドアスイッチレバー９５に対して接離自在になっている。
【０１１４】
更に、第１ドアレバー９２と第２ドアレバー９３とを上記したようにレバー取り付け板８９内で同軸的に回動可能に支持した際、第２ドアレバー９３の外側からバネ部材として例えばネジリバネ９４を第１ドアレバー９１の孔付きボス９２ａの外周部に嵌入させて、このネジリバネ９４により第２ドアレバー９３が第１ドアレバー９１の孔付きボス９２ａの外周部を中心にして第１ドアレバー９１上で反時計方向（矢印Ｈ１方向）に付勢されている。この際、ネジリバネ（バネ部材）９４は一端を第１ドアレバー９１のバネ掛止片９２ｃに掛止させる一方、他端を第２ドアレバー９３のバネ掛止片９３ｂに掛止させることで、扇型アーム８５の回動に伴って第１，第２ドアレバー９２，９３が一体となって回動してドア８１を閉蓋方向に付勢しているので、ドア８１を開閉する際に上記したネジリバネ（バネ部材）９４が緩衝用として機能できるようになっている。
【０１１５】
また、不図示のギヤボック上で右側ガイド板５７の内側の前方部位にドアスッチレバー９５が軸９６（図９のみ図示）を中心にしてネジリバネ９７に付勢されながら回動自在に設けられており、このドアスッチレバー９５の一端側は上記した第２ドアレバー９３の側面に接離する一方、軸９６を介した他端側はプレート９８上のドアスイッチＳＷ３に接離するようになっている。
【０１１６】
また、左右のガイド板５６，５７の各外側の中間部位には、図８にも示したように、左右一対の導電性フックレバー１０１，１０２が導電性部材を用いて回動可能に設けられており、左右一対の導電性フックレバー１０１，１０２の各一端に形成した各当接部１０１ａ，１０２ａを左右のガイド板５６，５７に形成した各孔５６ｇ，５７ｇに臨ませている。
【０１１７】
具体的には、図９（ｃ）に示したように、左右一対の導電性フックレバー１０１，１０２は、トップカバー５４の左右の内面に形成した一対の軸５４ａ，５４ｂを中心として左右一対の圧縮バネ１０３，１０４によりそれぞれ外側に向かって付勢されながら後述するようにローディング機構６０と連動して回動可能に支持されている。
【０１１８】
ここで上記のように構成した本発明に係る記憶媒体装着装置５０において、ドア８１を開閉させる動作について、図１１，図１２を併用して説明する。
【０１１９】
図１１（ａ）はドア８１が開いている状態を側面図で示し、このとき平面的には図１１（ｃ），（ｄ）に示した状態が対応している。一方、図１１（ｂ）はドア８１が閉じている状態を側面図で示し、このとき平面的には図１１（ｅ）に示した状態が対応している。
【０１２０】
まず、図１１（ａ）に示したようにドア８１が開いているときに、図１１（ｃ）に示した如く、最終段となる第４の二段ギヤ６８が回転して、この第４の二段ギヤ６８の大径ギヤ部６８ｂに噛合するラック７４ｃによりＸ軸スライド板７４が図示した後方（矢印Ｘ２方向）位置に移動するまでの間はＸ軸スライド板７４と直交して連動するＹ軸スライド板７３が右方（矢印Ｙ１方向）の初期位置に至っている。
【０１２１】
この時に、扇型アーム８５は、軸８６を中心にしてネジリバネ８７の付勢力によって時計方向（矢印Ｇ１方向）に回動して不図示のストッパに当接し、図示の初期位置に保持されており、この際、Ｙ軸スライド板７３の突出片７３ｄは扇型アーム８５の一端側の側面８５ｂから離間している。
【０１２２】
この後、図１１（ｄ）に示した如く、最終段となる第４の二段ギヤ６８が更に回転して、この第４の二段ギヤ６８の大径ギヤ部６８ｂがＸ軸スライド板７４のラック７４ｃから離れると、第４の二段ギヤ６８の小径ギヤ部６８ａに噛合するラック７３ｂによりＹ軸スライド板７３が左方（矢印Ｙ２方向）に移動するので、Ｙ軸スライド板７３の突出片７３ｄが扇型アーム８５の一端側の側面８５ｂに当接する。
【０１２３】
そして、Ｙ軸スライド板７３の突出片７３ｄが扇型アーム８５の一端側の側面８５ｂに当接するまでの間では、図１１（ａ）に示したようにドア８１が開いている。
【０１２４】
この際、図１１（ａ）及び図１２（ａ）に示したように、平板状のレバー取り付け板８９に横設したシャフト９１に軸支された第１ドアレバー９２はこの下端に形成したボス９２ｄが扇型アーム８５のＵ字溝８５ｃ内に嵌合されており、且つ、第１ドアレバー９２と同軸的に軸支された第２ドアレバー９３はネジリバネ９４によって反時計方向（矢印Ｈ１方向）に付勢されながらこの下端に形成したボス９３ｃがドア８１のカムアーム８１ｃに形成したカム溝８１ｃ内で軸８１ｂ側に嵌合されているので、扇型アーム８５の初期位置に対応して第１，第２ドアレバー９２，９３が一体となって時計方向（矢印Ｈ２方向）に回動していると共に、ネジリバネ９４の付勢力に抗してドア８１が開いている。
【０１２５】
更にこの後、図１１（ｅ）及び図１２ｂに示したように、最終段となる第４の二段ギヤ６８がより更に回転して、Ｙ軸スライド板７３の突出片７３ｄで扇型アーム８５の一端側の側面８５ｂを押しながら第４の二段ギヤ６８によってＹ軸スライド板７３がより更に左方（矢印Ｙ２方向）に移動すると、扇型アーム８５は軸８６を中心にしてネジリバネ８７の付勢力に抗して反時計方向（矢印Ｇ２方向）に回動するので、これに協働して第１，第２ドアレバー９２，９３が一体となって反時計方向（矢印Ｈ１方向）に回動し、これにより、第２ドアレバー９３の下端に形成したボス９３ｃがドア８１のカムアーム８１ｃに形成したカム溝８１ｃ内で軸８１ｂから離れた側に移動しながら嵌合しているので、ネジリバネ９４の付勢力によりドア８１が閉じられる。
【０１２６】
そして、ドア８１を閉めたきに、ドア８１に誤って手をはさんだりすると、怪我をしてしまうので、ネジリバネ９４の付勢力を適切に設定することで、ドア８１を閉めたときにネジリバネ９４の緩衝により、ドア８１に誤って手をはさんでも怪我をしないと共に、ドア開閉機構が破損しないですむ。
【０１２７】
また、ドア８１が閉じると、第２ドアレバー９３の側面９３ｄでドアスッチレバー９５を押してドアスイッチＳＷ３を作動させ、ドア８１が閉まったことを検出できる。従って、誤ってドア８１を手で開けて、３．５インチ型ＨＤＤカートリッジ１０又は２．５インチ型／１．８インチ型ＨＤＤ装着用アダプタ３０に接触した場合には、ドアスイッチＳＷ３で検出して、ハードディスクドライブを停止させ、記録再生に問題が無いようにすることができる。
【０１２８】
次に、本発明に係る記憶媒体装着装置３０内から３．５インチ型ＨＤＤカートリッジ１０を引き抜いたり、又は、挿入する動作について、図１３及び図１４を用いて説明する。
【０１２９】
尚、２．５インチ型／１．８インチ型ＨＤＤ装着用アダプタ３０の場合も３．５インチ型ＨＤＤカートリッジ１０の場合と同様に操作可能であるが、ここでの説明を省略する。
【０１３０】
前述したように、カートリッジ筐体１１内に３．５インチ型ＨＤＤ２０を収納した３．５インチ型ＨＤＤカートリッジ１０の重量は約９００ｇと重いので、セット筐体５１の前面５１ａに取り付けたフロントパネル５５の挿脱口５５ａから３．５インチ型ＨＤＤカートリッジ１０を不用意に挿脱した際に、重量のある３．５インチ型ＨＤＤカートリッジ１０を落下させてしまうことが起きる。
【０１３１】
そこでこの実施例では、下記するように３．５インチ型ＨＤＤカートリッジ１０を記憶媒体装着装置５０内に挿脱する時に、セット筺体５１の前面５１ａにフロントパネル５５を取り付け、且つ、フロントパネル５５の挿脱口５５ａの前方部位に開閉自在に取り付けたドア８１を全開時にセット筐体５１の外側に向かって略水平状態に保持されて開蓋して、このドア８１の裏面８１ｅ側の表面に突出入可能に取り付けたカートリッジ係止用テーパ状レバー８２（図１，図６，図１０）をカートリッジ筐体１１の下ハーフ１３の底面１３ｅに形成した係止孔１３ｅ２内に進入させることで、３．５インチ型ＨＤＤカートリッジ１０がドア８１の裏面８１ｅに取り付けたドア後面カバー８４上に一時的に係止されるようになっている。
【０１３２】
具体的に説明すると、図１３（ａ）〜（ｃ）中において、セット筐体５１を図２中のＸ−Ｘ矢視方向に沿って断面して示すと、３．５インチ型ＨＤＤカートリッジ１０を記憶媒体装着装置５０内から引き抜く場合に、図１３（ａ）に示した如く、記憶媒体装着装置５０のセット筐体５１の前面５１ａにフロントパネル５５が取り付けられ、且つ、フロントパネル５５の挿脱口５５ａの前方部位で、且つ、セット筐体５１の前面５１ａに開口した挿脱口５１ａ１と対向してドア８１が開閉自在に取り付けられていると共に、ドア８１の裏面８１ｅ側の表面にカートリッジ係止用テーパ状レバー８２が軸８２ａを中心にしてネジリバネ８３で付勢されながら突出入可能に取り付けられており、このドア８１を全開時にセット筐体５１の外側に向かって略水平状態に保持されて開蓋すると、このドア８１の裏面８１ｅに取り付けたドア後面カバー８４の矩形孔８４ａ内からカートリッジ係止用テーパ状レバー８２がネジリバネ８３の付勢力で上方に向かって起立している。
【０１３３】
この図１３（ａ）の場合には、記憶媒体装着装置５０のセット筐体５１内に３．５インチ型ＨＤＤカートリッジ１０が挿入されており、且つ、３．５インチ型ＨＤＤカートリッジ１０の下ケース２３の底面１３ｅに形成した係止孔１３ｅ２は記憶媒体装着装置５０内に位置している。
【０１３４】
この後、図１３（ｂ）に示した如く、記憶媒体装着装置５０のセット筐体５１の前面５１ａに取り付けたフロントパネル５５の挿脱口５５ａから３．５インチ型ＨＤＤカートリッジ１０を矢印方向に向かって引き抜いて３．５インチ型ＨＤＤカートリッジ１０をドア８１の裏面８１ｅに取り付けたドア後面カバー８４上に乗せると、３．５インチ型ＨＤＤカートリッジ１０の下ケース２３の底面１３ｅに形成した係止孔１３ｅ２内にドア８１の裏面８１ｅ側の表面に突出入可能に取り付けたカートリッジ係止用テーパ状レバー８２がドア後面カバー８４の矩形孔８４ａを介して進入するので、図１３（ｃ）に示したように、ドア８１の裏面８１ｅに取り付けたドア後面カバー８４上に重量のある３．５インチ型ＨＤＤカートリッジ１０が一時的に係止される。
【０１３５】
一方、３．５インチ型ＨＤＤカートリッジ１０を記憶媒体装着装置５０内に挿入する場合に図１４（ａ），（ｂ）中においてセット筐体５１を図２中のＸ−Ｘ矢視方向に沿って断面して示すと、図１４（ａ）に示した如く、記憶媒体装着装置５０のセット筐体５１の前面５１ａにフロントパネル５５が取り付けられ、且つ、フロントパネル５５の挿脱口５５ａの前方部位に取り付けたドア８１を全開時にセット筐体５１の外側に向かって略水平状態に保持されて開蓋して、このドア８１の裏面８１ｅに取り付けたドア後面カバー８４上に３．５インチ型ＨＤＤカートリッジ１０を搭載しながらこの３．５インチ型ＨＤＤカートリッジ１０を矢印方向に向かってフロントパネル５５の挿脱口５５ａを経てセット筐体５１の前面５１ａに開口した挿脱口５１ａ１から挿入すると、ドア８１の裏面８１ｅ側の表面に突出入可能に取り付けたカートリッジ係止用テーパ状レバー８２が軸８２ａを介してネジリバネ８３の付勢力に抗して下ケース２３の底面１３ｅに当接するようにドア後面カバー８４の矩形孔８４ａ内を回動するので、３．５インチ型ＨＤＤカートリッジ１０を挿入することができる。
【０１３６】
この後、図１４（ｂ）に示した如く、３．５インチ型ＨＤＤカートリッジ１０を記憶媒体装着装置５０内に完全に挿入すれば、ドア８１に取り付けたドア後面カバー８４と３．５インチ型ＨＤＤカートリッジ１０との間に僅かな隙間Ｓが形成されるので、ドア８１でセット筺体５１の前面５１ａに取り付けたフロントパネル５５の挿脱口５１ａ１及びセット筺体５１の前面５１ａに開口した挿脱口５１ａ１を完全に閉じることができる。この際、ドア８１の裏面側に取り付けたカートリッジ係止用テーパ状レバー８２は、上記した隙間Ｓ内に収まるので記憶媒体装着装置５０内に挿入した３．５インチ型ＨＤＤカートリッジ１０に衝突することはない。
【０１３７】
従って、図１３及び図１４の説明から、３．５インチ型ＨＤＤカートリッジ１０の記憶媒体装着装置５０への挿脱時に、重量のある３．５インチ型ＨＤＤカートリッジ１０を記憶媒体装着装置５０のセット筐体５１の前面５１ａに取り付けたフロントパネル５５の挿脱口５１ａ１及びセット筺体５１の前面５１ａに開口した挿脱口５１ａ１から落下するのを防止できるので、３．５インチ型ＨＤＤ２０及び３．５インチ型ＨＤＤ２０を収納した３．５インチ型ＨＤＤカートリッジ１０の破損を防止できる。
【０１３８】
尚、図示を省略した２．５インチ型／１．８インチ型ＨＤＤ装着用アダプタ３０の場合でも、先に図５を用いて説明したアダプタ筐体３１の底面側に開閉自在に取り付られた収納蓋３４に形成した係止孔３４ａ内にドア８１の裏面８１ｅ側の表面に突出入可能に取り付けたカートリッジ係止用テーパ状レバー８２を進入させれば、ドア８１の裏面８１ｅに取り付けたドア後面カバー８４上に重量のある２．５インチ型／１．８インチ型ＨＤＤ装着用アダプタ３０が一時的に係止される。
【０１３９】
次に、本発明に係る記憶媒体装着装置５０内に３．５インチ型ＨＤＤカートリッジ１０を装着した際に、この記憶媒体装着装置５０内に回動可能に設けた左右一対の導電性フックレバー１０１，１０２を３．５インチ型ＨＤＤカートリッジ１０内に収納した３．５インチ型ＨＤＤ２０に当接させる動作について、図１５〜図１７を用いて説明する。
【０１４０】
図１５（ａ），（ｂ）中において、カートリッジ筐体１１の上ハーフ１２及び下ハーフ１２を図１中のＹ−Ｙ矢視方向に沿って断面した際に、図１５（ａ）に示したように、３．５インチ型ＨＤＤカートリッジ１０を記憶媒体装着装置５０内に挿入している際中には、左右一対の導電性フックレバー１０１，１０２が初期状態を保っており、且つ、左右一対の導電性フックレバー１０１，１０２の各当接部１０１ａ，１０２ａはカートリッジ筐体１１を構成する上ハーフ１２の左右の側面１２ｃ，１２ｄから離間している。この際、上ハーフ１２の左右の側面１２ｃ，１２ｄに形成したバネ押圧用孔１２ｃ４，１２ｄ４内には、３．５インチ型ＨＤＤ２０の左右の側面の外側に取り付けた各導電性板バネ２６が臨んでいる。
【０１４１】
この後、３．５インチ型ＨＤＤカートリッジ１０が記憶媒体装着装置５０内に完全に装着されると、先に図９を用いて説明したように、扇型アーム８５が反時計方向（矢印Ｇ２方向）に回動し、この扇型アーム８５のカム片８５ｄによって右側の導電性フックレバー１０２がトップカバー５４の軸５４ｂを中心にしてネジリバネ１０４の付勢力に抗して内側に向かうように反時計方向に回動する一方、扇型アーム８５と連動して左方（矢印Ｙ２方向）に移動したプレート８８の左端面８８ｂによって左側の導電性フックレバー１０１がトップカバー５４の軸５４ａを中心にしてネジリバネ１０３の付勢力に抗して内側に向かうように時計方向に回動する。
【０１４２】
従って、図１５（ｂ）に示したように、左右一対の導電性フックレバー１０１，１０２の各当接部１０１ａ，１０２ａは、ローディング機構部６０の駆動力によりカートリッジ筐体１１を構成する上ハーフ１２の左右の側面１２ｃ，１２ｄに形成したバネ押圧用孔１２ｃ４，１２ｄ４内にそれぞれ進入して、３．５インチ型ＨＤＤ２０の左右の側面に取り付けた各導電性板バネ２６に当接して押圧するので、左右一対の導電性フックレバー１０１，１０２と各導電性板バネ２６とを介して、記憶媒体装着装置５０と３．５インチ型ＨＤＤ２０との間でグランドと同電位に接地（アース）することができる。
【０１４３】
また、左右一対の導電性フックレバー１０１，１０２が各導電性板バネ２６に当接して押圧している時には、記憶媒体装着装置５０と３．５インチ型ＨＤＤ２０との間で外部からの衝撃などが緩衝されて各導電性板バネ２６のバネ力により一定の荷重で３．５インチ型ＨＤＤカートリッジ１０を記憶媒体装着装置５０内で押さえることができ、３．５インチ型ＨＤＤ２０の固有振動数を外して制振しながら固定できる。
【０１４４】
更に、左右一対の導電性フックレバー１０１，１０２が各導電性板バネ２６に当接して押圧している時には、３．５インチ型ＨＤＤ２０で発生した熱を各導電性板バネ２６から左右一対の導電性フックレバー１０１，１０２に伝達することで、３．５インチ型ＨＤＤ２０で生じた熱を記憶媒体装着装置５０の外部に良好に放熱することができる。
【０１４５】
即ち、３．５インチ型ＨＤＤカートリッジ１０の内部に収納した３．５インチ型ＨＤＤ２０で発生した熱を記憶媒体装着装置５０の外部に放熱するにあたって、本発明に対する比較例の場合には、図１６（ａ），（ｂ）に示したように、３．５インチ型ＨＤＤ２０の左右の側面の外側に少なくとも一つ以上の導電性板バネが取り付けられていない場合であり、この場合には、３．５インチ型ＨＤＤ２０内の熱源で生じた温度Ｔｊが伝導により３．５インチ型ＨＤＤ２０の表面に温度Ｔで伝わり、この後、３．５インチ型ＨＤＤカートリッジ１０内での対流，伝導，放射により３．５インチ型ＨＤＤカートリッジ１０の表面に温度Ｔで伝わり、更にこの後、記憶媒体装着装置５０内での対流，伝導，放射によりセット筐体５１の表面に温度Ｔｓで伝わり、このセット筐体５１の表面温度Ｔｓが対流，放射により温度Ｔｏで外気に放熱されるので、各温度はＴｊ＞Ｔ＞Ｔｓ＞Ｔｏの順に徐々に下降している。
【０１４６】
一方、３．５インチ型ＨＤＤカートリッジ１０の内部に収納した３．５インチ型ＨＤＤ２０で発生した熱を記憶媒体装着装置５０の外部に放熱するにあたって、本発明の場合には、図１７（ａ），（ｂ）に示したように、３．５インチ型ＨＤＤ２０の側面の外側に少なく一つ以上の導電性板バネ２６が取り付けられており、これに対応して記憶媒体装着装置５０内に少なくとも一つ以上の導電性板バネ２６に当接する少なくとも一つ以上の導電性フックレバー１０１，１０２がある場合であり、この場合には、３．５インチ型ＨＤＤ２０内の熱源で生じた温度Ｔｊが比較例と同様な伝達により外部に放熱される他に、３．５インチ型ＨＤＤ２０内の熱源で生じた温度Ｔｊが３．５インチ型ＨＤＤ２０の側面に取り付けた少なくとも一つ以上の導電性板バネ２６からセット筐体５１内に設けた少なくとも一つ以上の導電性フックレバー１０１，１０２に直接伝導されるので、比較例よりも熱伝達の手段を増やして短時間で効率の良い放熱を行うことができる。
【０１４７】
次に、本発明に係る記憶媒体装着装置３０内でハードディスクドライブカートリッジ１０と、ハードディスクドライブ装着用アダプタ３０とを判別する動作について、図１８を用いて簡略に説明する。
【０１４８】
図１８は本発明に係る記憶媒体装着装置内でハードディスクドライブカートリッジと、ハードディスクドライブ装着用アダプタとを判別する動作を示したフロー図である。
【０１４９】
図１８に示した如く、ステップＳ１で３．５インチ型ＨＤＤカートリッジ１０又は２．５インチ型／１．８インチ型ＨＤＤ装着用アダプタ３０を記憶媒体装着装置５０内に挿入する。この際、この実施例では、前述の図１及び図２に示したように３．５インチ型ＨＤＤカートリッジ１０のカートリッジ筐体１１にはスイッチ検出溝１２ｄ２及びスイッチ検出孔１３ａ２が形成されているが、前述の図５に示したように２．５インチ型／１．８インチ型ＨＤＤ装着用アダプタ３０のアダプタ筐体３１にはスイッチ検出溝及びスイッチ検出孔が形成されていない。
【０１５０】
次に、ステップＳ２では記憶媒体装着装置５０内の検出ＳＷ（図示せず）がＯＮ動作したか否かを問い、検出ＳＷ（図示せず）がＯＮ動作した時に、ステップＳ３で３．５インチ型ＨＤＤカートリッジ１０であると判別し、この後、ステップＳ４で３．５インチ型ＨＤＤ２０（図３，図４）を駆動するためにモータ起動電圧を１２Ｖに設定する。
【０１５１】
一方、ステップＳ２では記憶媒体装着装置５０内の検出ＳＷ（図示せず）がＯＦＦ動作したままであれば、ステップＳ５で２．５インチ型ＨＤＤ４０｛図５（ａ）｝又は１．８インチ型ＨＤＤ４５｛図５（ｂ）｝を駆動するためにモータ起動電圧を５Ｖに設定する。
【０１５２】
この後、ステップＳ６でモータ回転信号が出力されたか否かを問い、モータ回転信号が出力された時に、ステップＳ７で２．５インチ型／１．８インチ型ＨＤＤ装着用アダプタ３０であると判別する。
【０１５３】
一方、ステップＳ６でモータ回転信号が出力されていなければ、ステップＳ８で３．５インチ型ＨＤＤカートリッジ１０又は２．５インチ型／１．８インチ型ＨＤＤ装着用アダプタ３０が装着されていないと判別する。
【０１５４】
上記により、記憶媒体装着装置５０内に３．５インチ型ＨＤＤカートリッジ１０と、２．５インチ型／１．８インチ型ＨＤＤ装着用アダプタ３０とを選択的に装着できるので、使用勝手の良い記憶媒体装着装置５０を提供できる。
【図面の簡単な説明】
【０１５５】
【図１】本発明に係る記憶媒体装着装置及びこの記憶媒体装着装置のセット筐体内に着脱されるハードディスクドライブカートリッジを示した斜視図である。
【図２】図１に示したハードディスクドライブカートリッジを裏面側から見た斜視図である。
【図３】（ａ），（ｂ）は図１及び図２に示したハードディスクドライブカートリッジ内に収納される３．５インチ型ハードディスクドライブを示した斜視図である。
【図４】３．５インチ型ハードディスクドライブを収納したハードディスクドライブカートリッジを一部分解して示した一部分解斜視図である。
【図５】（ａ），（ｂ）は本発明に係る記憶媒体装着装置のセット筐体内に着脱されるハードディスクドライブ装着用アダプタを説明するために示した斜視図である。
【図６】（ａ），（ｂ）は本発明に係る記憶媒体装着装置をそれぞれ上方，下方から見た外観図である。
【図７】本発明に係る記憶媒体装着装置内にハードディスクドライブカートリッジ又はハードディスクドライブカートリッジ装着用アダプタを挿入開始した状態の平面図である。
【図８】本発明に係る記憶媒体装着装置おいて、サブシャーシの近傍を分解して示した分解斜視図である。
【図９】（ａ），（ｂ），（ｃ）は本発明に係る記憶媒体装着装置内にハードディスクドライブカートリッジ又はハードディスクドライブカートリッジ装着用アダプタを装着した状態の平面図，右側面図，イ−ロ断面図である。
【図１０】本発明に係る記憶媒体装着装置において、ローディング機構部によって開閉するドアと、ローディング機構部によって回動する左右一対の導電性フックレバーを示した斜視図である。
【図１１】（ａ）〜（ｅ）は本発明に係る記憶媒体装着装置において、ドアの開閉動作を説明するための平面図である。
【図１２】本発明に係る記憶媒体装着装置において、ドアの開閉動作を説明するための斜視図であり、（ａ）はドアが開いた状態を示し、（ｂ）はドアが閉じた状態を示した図である。
【図１３】（ａ）〜（ｃ）は本発明に係る記憶媒体装着装置内からハードディスクドライブカートリッジを引き抜く動作を説明するために図２中のＸ−Ｘ矢視方向に沿って断面して示した縦断面図である。
【図１４】（ａ），（ｂ）は本発明に係る記憶媒体装着装置内にハードディスクドライブカートリッジを挿入する動作を説明するために図２中のＸ−Ｘ矢視方向に沿って断面して示した縦断面図である。
【図１５】（ａ），（ｂ）は本発明に係る記憶媒体装着装置内でハードディスクドライブカートリッジ内に収納した３．５インチ型ハードディスクドライブに対して接地（アース）する動作を説明するために図１中のＹ−Ｙ矢視方向に沿って断面して示した縦断面図である。
【図１６】（ａ），（ｂ）はハードディスクドライブカートリッジ内に収納した３．５インチ型ハードディスクドライブで生じた熱を記憶媒体装着装置の外部に放熱する際に、本発明に対する比較例の場合を模式的に示した図である。
【図１７】（ａ），（ｂ）はハードディスクドライブカートリッジ内に収納した３．５インチ型ハードディスクドライブで生じた熱を記憶媒体装着装置の外部に放熱する際に、本発明の場合を模式的に示した図である。
【図１８】本発明に係る記憶媒体装着装置内でハードディスクドライブカートリッジと、ハードディスクドライブ装着用アダプタとを判別する動作を示したフロー図である。
【図１９】従来例１の記憶媒体装着装置、及び電気機器を示した斜視図である。
【符号の説明】
【０１５６】
１０…３．５インチ型ハードディスクドライブカートリッジ
（３．５インチ型ＨＤＤカートリッジ）、
１１…カートリッジ筐体、
１２…上ハーフ、１２ａ…挿入方向前面、１２ａ１…開口部、
１２ｂ…後面、１２ｂ１…放熱孔、
１２ｃ，１２ｄ…左右の側面、
１２ｃ１，１２ｄ１…ローディング爪係合孔、１２ｄ２…スイッチ検出溝、
１２ｃ３，１２ｄ３…放熱孔、１２ｃ４，１２ｄ４…バネ押圧用孔、
１２ｅ…上面、１２ｄｅ…面取り、
１３…下ハーフ、１３ａ…挿入方向前面、１３ａ１…開口部、
１３ａ２…スイッチ検出孔、１３ｂ…後面、
１３ｃ，１３ｄ…左右の側面、１３ｃ１，１３ｄ１…誤挿入防止溝、
１３ｃ２，１３ｄ２…ローディング爪係合孔、
１３ｅ…底面、１３ｅ１…放熱孔、１３ｅ２…係止孔、
１４Ａ，１４Ｂ…ネジ、１５…コネクタ、１６…ゴムブッシュング、１７…ネジ、
１８…フレキシブル配線ワイヤ、
２０…３．５インチ型ハードディスクドライブ（３．５インチ型ＨＤＤ）、
２１…下ケース、２２…３．５インチ型ハードディスク（３．５インチ型ＨＤ）、
２３…磁気ヘッド、２４…上ケース、２５…ネジ、２６…導電性板バネ、
２７Ａ〜２７Ｄ…第１緩衝吸収材、２８Ａ，２８Ｂ…第２緩衝吸収材、
３０…２．５インチ型／１．８インチ型ハードディスクドライブ装着用アダプタ
（２．５インチ型／１．８インチ型ＨＤＤ装着用アダプタ）、
３１…アダプタ筐体、
３２…上ハーフ、３２ａ…挿入方向前面、３２ｂ…後面、
（３２ｃ），３２ｄ…左右の側面、
（３２ｃ１），３２ｄ１…ローディング爪係合孔、
３３…下ハーフ、３３ａ…挿入方向前面、
３３ｃ，３３ｄ…左右の側面、（３３ｃ１），３３ｄ１…誤挿入防止溝、
（３３ｃ２），３３ｄ２…ローディング爪係合孔、
３３ｅ…底面、３３ｅ１…開口部、
３４…収納蓋、３４ａ…係止孔、
４０…２．５インチ型ハードディスクドライブ（２．５インチ型ＨＤＤ）、
４１…コネクタ、
４５…１．８インチ型ハードディスクドライブ（１．８インチ型ＨＤＤ）
４６…コネクタ、
５０…記憶媒体装着装置、
５１…セット筐体、５１ａ…前面、５１ａ１…挿脱口、
５２…メインシャーシ、５２ａ…前面、５２ｂ…後面、５２ｃ，５２ｄ…左右の側板部、
５３…サブシャーシ、５３ａ…上面、５３ｂ…下面、５３ｃ…ローラ取り付け孔、
５３ｄ，５３ｅ…ガイドピン、５３ｆ，５３ｇ…左右一対の長孔、
５４…トップカバー、５４ａ，５４ｂ…左右一対の軸。
【０１５７】
５５…フロントパネル、５５ａ…挿脱口、
５６…左側ガイド板、５６ａ〜５６ｄ…複数のガイドレール、５６ｅ…カム溝、
（５６ｆ）…ローラ取り付け孔、５６ｇ…孔、
５７…右側ガイド板、５７ａ〜５７ｄ…複数のガイドレール、５７ｅ…カム溝、
５７ｆ…ローラ取り付け孔、５７ｇ…孔、
５８…コネクタブラケット、５９…コネクタ、
６０…ローディング機構部、
６１…モータ、６２…プーリ、６３…ベルト、６４…プーリギヤ、
６５〜６８…第１〜第４の二段ギヤ、６８ａ…大径ギヤ部、６８ａ…大径ギヤ部、
７１…ローラ、７２…ローラ、
７３…Ｙ軸スライド板、７３ａ…Ｙ軸ガイド溝、７３ｂ…ラック、
７３ｃ…スイッチ押圧部、７３ｄ…突出片、７３ｅ…ボス、
７４…Ｘ軸スライド板、７４…逆Ｌ字状カム溝、７４ｂ…Ｘ軸ガイド溝、
７４ｃ…ラック、７４ｄ，７４ｅ…ボス、７４ｆ…スイッチ押圧部、
７５，７６…左右一対のネジリバネ、７７，７８…左右一対のローディング爪、
８１…ドア、８１ａ，８１ｂ…左右の軸、８１ｃ…カムアーム、８１ｃ１…カム溝、
８１ｄ…前面、８１ｅ…裏面、８１ｅ１…凹部、８１ｆ…軸支持部、
８２…カートリッジ係止用テーパ状レバー、８２ａ…軸、８３…ネジリバネ、
８４…ドア後面カバー、８４ａ…矩形孔、
８５…扇型アーム、８５ａ…カム溝、８５ｂ…側面、８５ｃ…Ｕ字溝、
８５ｄ…カム片、
８６…軸、８７…ネジリバネ、
８８…プレート、８８ａ…ボス、８８ｂ…左端面、
８９…レバー取り付け板、９０…ネジ、９１…シャフト、
９２…第１ドアレバー、９２ａ…孔付きボス、９２ｂ…ストッパ、９２ｃ…バネ掛止片、
９２ｄ…ボス、
９３…第２ドアレバー、９３ａ…丸孔、９３ｂ…バネ掛止片、９３ｃ…ボス、
９３ｄ…側面、
９４…バネ部材（ネジリバネ）、
９５…ドアスッチレバー、９６…軸、９７…ネジリバネ、
１０１，１０２…左右一対の導電性フックレバー、１０１ａ，１０２ａ…当接部、
１０１，１０２…左右一対の圧縮バネ、
ＳＷ１…オープスイッチ、ＳＷ２…クローズスイッチ、ＳＷ３…ドアスイッチ。
【図１】
2009020936.tif 000003
【図２】
2009020936.tif 000004
【図３】
2009020936.tif 000005
【図４】
2009020936.tif 000006
【図５】
2009020936.tif 000007
【図６】
2009020936.tif 000008
【図７】
2009020936.tif 000009
【図８】
2009020936.tif 000010
【図９】
2009020936.tif 000011
【図１０】
2009020936.tif 000012
【図１１】
2009020936.tif 000013
【図１２】
2009020936.tif 000014
【図１３】
2009020936.tif 000015
【図１４】
2009020936.tif 000016
【図１５】
2009020936.tif 000017
【図１６】
2009020936.tif 000018
【図１７】
2009020936.tif 000019
【図１８】
2009020936.tif 000020
【図１９】
2009020936.tif 000021